(57)【特許請求の範囲】
【請求項１】
複数種類の物品を種類別に区分けするための複数の分類ポケットを備えた分類別収納部を有し、物品収納時にその物品の種類を示す分類情報が指定された際に、指定された分類情報に対応して分類ポケットを割り当てると共に、割り当てられた分類ポケットが、所定位置に設けられた物品投入口に対応する位置に来るまで前記分類別収納部を回転駆動させる分類別処理装置であって、
前記分類別収納部を構成する各分類ポケットのうち、予め決められている分類情報に対応して所定の分類ポケットを固定的に割り当てる固定割り当てか、任意の分類ポケットを可変的に割り当てる可変割り当てかを各分類ポケット毎にそれぞれ設定する設定手段と、
分類情報が指定された際に、前記設定手段の設定内容を参照し、指定された分類情報に対応する前記分類ポケットに対して固定割り当てが設定されているか可変割り当てが設定されているかを判別する判別手段と、
この判別手段によって固定割り当てが設定されていると判別された場合に、前記指定された分類情報に当該分類情報に対応して予め決められている所定の分類ポケットを割り当てる固定割り当て手段と、
前記判別手段によって可変割り当てが設定されていると判別された場合に、前記設定手段の設定内容を参照し、可変割り当てが設定されている各分類ポケットの中からいずれかの分類ポケットを選択し、前記指定された分類情報に前記選択した分類ポケットを割り当てる可変割り当て手段と
を具備したことを特徴とする分類別処理装置。
【発明の詳細な説明】
【０００１】
【発明の属する技術分野】
この発明は、伝票等を種類別に区分けする分類別処理装置に関する。
【０００２】
【従来の技術】
従来、公共料金、手形交換等の伝票を多量に扱う業務において、個々の伝票を種類別に区分ける場合、作業机の回りを取り込むように設置された棚には仕切板によって複数の分類収納スペースが形成されており、この分類収納スペース内に伝票を手作業によって収納するようにしている。すなわち、机上に設けられた入力端末装置から分類コードを入力すると、それに該当する収納スペースを指示するめのランプが点灯され、それを目印に伝票を手作業により、分類収納スペース内に投入するようにしていた。
また、自動化を図ったものとして分類入力された際に、該当する分類収納スペースの位置まで伝票を搬送してスペース内に自動収納するものが知られている。
【０００３】
【発明が解決しようとする課題】
しかしながら、前者のものにあっては、手作業を前提とするため、作業効率が悪く、また、伝票搬送機構を持った自動分類別処理装置にあっては、搬送機構を必要とするため大型化を招くと共に、多種多用なサイズや紙厚の伝票を搬送する際に、搬送路で紙詰まりが起り易い等の欠点があった。
そこで、本出願人は、伝票等の物品収納時に、その種類が指定されると、分類別収納部を回転駆動させ、指定された分類に対応する収納スペース位置を検出してそれを投入口に対応させる技術（特願平７−１０９１８７号：発明の名称「分類処理装置」）を提案した。
この分類処理装置においては、回転可能な分類別収納部内に複数の分類収納スペースを設け、物品の種類を指定するだけで、この種類に該当する収納スペースを物品投入口に位置させることができるので、自動区分けが可能となると共に、搬送路を必要としないため小型軽量化を実現することができ、しかも、紙詰まり等の問題も効果的に解消することができる。これによって最近のオフィス環境に適し、迅速性、正確性、操作性等に優れた分類処理装置を提供することが可能となった。
この発明の課題は、実際の仕分け業務の実情等を考慮し、本出願人が先に提案した分類処理装置を改善したもので、当日の仕分け業務等に応じて適切な分類仕分けを実現できるようにすることである。すなわち、どのような仕分け業務を行うのか、あるいは月末か、年末か等によって仕分けする物品の量やその分類数が大きく変動することがあるので、そのような変動に対応できるようにする必要がある。
また、この発明の課題は、分類別収納部を構成する収納スペースとしての各分類ポケット毎に、どのような種類の物品を収納させるかを示すために、予め決められている分類情報に対応して所定の分類ポケットを固定的に割り当てる固定割り当てか、任意の分類ポケットを割り当てる可変割り当てかを任意に設定できるようにすることであり、これによって当日の仕分け業務に応じた適切な分類仕分けを実現できるようにすることである。
【０００４】
【課題を解決するための手段】
この発明の手段は次の通りである。複数種類の物品を種類別に区分けするための複数の分類ポケットを備えた分類別収納部を有し、物品収納時にその物品の種類を示す分類情報が指定された際に、指定された分類情報に対応して分類ポケットを割り当てると共に、割り当てられた分類ポケットが、所定位置に設けられた物品投入口に対応する位置に来るまで前記分類別収納部を回転駆動させる分類別処理装置であって、
（１）、設定手段は前記分類別収納部を構成する各分類ポケットのうち、予め決められている分類情報に対応して所定の分類ポケットを固定的に割り当てる固定割り当てか、任意の分類ポケットを可変的に割り当てる可変割り当てかを各分類ポケット毎にそれぞれ設定する。
（２）、判別手段は分類情報が指定された際に、前記設定手段の設定内容を参照し、指定された分類情報に対応する前記分類ポケットに対して固定割り当てが設定されているか可変割り当てが設定されているかを判別する。
（３）、固定割り当て手段はこの判別手段によって固定割り当てが設定されていると判別された場合に、前記指定された分類情報に当該分類情報に対応して予め決められている所定の分類ポケットを割り当てる。
（４）、可変割り当て手段は前記判別手段によって可変割り当てが設定されていると判別された場合に、前記設定手段の設定内容を参照し、可変割り当てが設定されている各分類ポケットの中からいずれかの分類ポケットを選択し、前記指定された分類情報に前記選択した分類ポケットを割り当てる。
【０００５】
【発明の実施の形態】
以下、図１〜図２１を参照してこの発明の一実施形態を説明する。
図１は銀行の営業店に集められる公共料金や税金の領収済通知書、振込票、手形、小切手などの伝票を種類毎に区分けする分類別処理装置を示した外観斜視図である。
分類別処理装置１はその全体が机状に形成され、この天板部上の片側にはキーボード２や表示装置３が載置される。ここで、キーボード２や表示装置３は分類別処理装置１にケーブル接続されており、キーボード２は伝票の種類を示す分類コード等を入力したり、各種のコマンドを入力するもので、キーボード２から分類コードが入力されると、分類別処理装置１はそれに対応する伝票名を表示装置３から表示出力させる。表示装置３は透明タッチパネルが液晶表示画面に積層配置されてなり、キーボード２を補助するタッチ入力装置としての機能も合せ持っている。なお、図１に示してある分類別処理装置１の各構成要素（伝票出し入れ口等）については後で詳細に説明するものとする。
【０００６】
図２は分類別処理装置１内の主要構造を概念的に示したもので、（Ａ）は概略横断面図、（Ｂ）は概略縦断面図である。
分類別処理装置１の天板部内において回転軸４には分類ボックス５が回転可能に取り付けられている。分類ボックス５はその全体が有底円筒状に形成されてなるもので、その内部には放射状に配設された複数の仕切板６によって複数（この例では８０個）の分類収納スペース（分類ポケット）７が形成されている。この分類ポケット７は伝票を種類毎に分類収納するもので、分類ボックス５の外周面において、各分類ポケット７に対応する位置には、位置決め用のバーコード（スペース番号）８がそれぞれ付加されている。ここで、伝票収納時あるいは伝票取り出し時において、キーボード２から伝票の種類を指定する分類コードが入力されると、ステップモータ９が駆動されてその回転がベルト１０を介して分類ボックス５に伝達され、分類ボックス５を正逆転可能に回転駆動させる。その際、位置マークセンサ１１は分類ボックス５の外周面に付加されている位置決め用バーコード８を読み取るもので、入力された分類コードに該当するバーコード８が読み取られた際に、その位置で分類ボックス５が停止するようにステップモータ９の駆動が制御される。すなわち、位置マークセンサ１１は入力された分類コードに対応して予め割り当てられている分類ポケット７の位置を検出するバーコードリーダであり、検出された分類ポケット７が伝票出し入れ口１２（図１参照）に対向する位置に来るまで分類ボックス５は回転駆動される。
【０００７】
一方、図２（Ｂ）に示すようにステップモータ９の下方には電磁ブレーキ１３が設けられており、この電磁ブレーキ１３はステップモータ９の回転を減速停止させるものである。また、伝票出し入れ口１２の下側には伝票出し入れ口１２を自動開閉するシャッタ１４が設けられている。このシャッタ１４は分類ポックス５が回転駆動されているときに伝票出し入れ口１２を閉じるもので、誤って伝票が投入されるのを防ぐと共に危険防止を図り、更に、伝票出し入れ口１２を開放しているときには、図１に示すようその先端部が斜め下方に折り曲げられ、伝票投入時に伝票をガイドする役目を果す。
【０００８】
図３は分類ボックス５に仕切板６が取り付けられた取付状態を示し、分類ボックス５は上述のようにその全体が有底円筒状に形成されていると共に、その内部には内周壁５ａが同心的に一体形成されている。この分類ボックス５を構成する外周壁の内側下部には一定間隔毎に、仕切板６を取り付けるための挿入孔５ｂが形成され、またこれに対向する内周壁５ａの下部にも挿入孔５ｃが形成されている。ここで、仕切板６はその全体が横長の平板状に形成されて成るもので、その長さ方向における両端下部には、係止突起６ａ、６ｂがそれぞれ延出されており、この係止突起６ａ、６ｂを分類ボックス５の対応する挿入孔５ｂ、５ｃに差し込むことで、仕切板６は分類ボックス５内に着脱自在に取り付けられる。この場合、内周壁５ａの内側には、各挿入孔５ｃに対向させた板バネ１５が形成されており、仕切板６を板バネ１５の弾性力に抗して内周壁５ａ側に押し込みながらスライドさせることにより、仕切板６の取り付け、取り外しを行うようにしている。
なお、仕切板６が分類ボックス５内に取り付けられているか否かを検出する仕切板センサ１６は、発光ダイオード、フォトトランジスタとから成る反射型センサであり、その反射光の有無によって仕切板６が取り付けられているか否かを検出する。ここで、分類ボックス５を１回転させる間に、各仕切板６の取り付け位置で反射光を受光しなければ、仕切板センサ１６は当該位置に仕切板６が取り付けられていないことを検出する。
【０００９】
このように仕切板６はその下部が着脱自在に支持され、その上部を自由端とし、垂直面に対して所定角度（４５°）傾斜するように、その下部を分類ボックス５に回動可能に取り付けたもので、仕切板６の長さ方向一端部（分類ボックス５の内周壁５ａ側）には、その中央部分から長さ方向に延びる板状の延出部６ｃが一体成形されている。この場合、仕切板６が垂直面に対して左右いずれの方向に傾いた際に、延出部６ｃの下端部が分類ボックス５を構成する内周壁５ａの上端部に突き当たることにより、仕切板６は右４５度あるいは左４５度傾斜した状態となる。つまり、内周壁５ａは仕切板６を左右４５度の傾斜位置で押さえるストッパーとしての機能を合せ持っている。なお、図４に示すように各仕切板６の延出部６ｃにおいてその一側面には、円筒状のスペイサー１７が取り付けられている。このスペイサー１７は仕切板６によって形成される分類ポケット７内に伝票が格納されていない状態においても、仕切板６の上端部同士が重なり合わないように所定大の開口部を保持させるものである。
【００１０】
図５は仕切板６の傾斜角度を検出することによって分類ポケット７内に収納されている伝票の収納量を検出する角度センサを説明するための図である。図５（Ａ）は角度センサの構成を説明するための図で、この角度センサとしては４５度センサ１８と４３度センサ１９が設けられている。４５度センサ１８、４３度センサ１９は発光ダイオード１８ａ、１９ａとフォトトランジスタ１８ｂ、１９ｂとから成る反射型のセンサであり、反射光の有無に基づいて仕切板６の傾斜角度を検出する。ここで、分類ポケット７内に伝票が収納されていない状態あるいはその収納量が少ない場合には、図５（Ｂ）に示すように仕切板６は垂直面に対して４５度に傾斜し、これ以上大きく傾くことはないが、伝票が投入されてその量が次第に多くなってゆくと、仕切板６の傾斜角度が４５度よりも小さくなる。これを利用し、４５度の場合、その仕切板６に対応する分類ポケット７は収納量に余裕があるが、４３度に達すると、分類ポケット７はフル状態となり、また、４５度〜４３度の範囲内にあれば、分類ポケット７はニアフル状態となる。ここで、図５（Ｃ）はニアフル状態、（Ｄ）はフル状態を示し、仕切板６の傾斜角度として４５度、４３度を検出すれば、それに対応する分類ポケット７がニアフル状態にあるか、フル状態にあるかを検出することができる。
なお、伝票を１枚ずつ投入するものであれば、フル状態が検出される前に必ず、ニアフル状態が検出されるが、ニアフル状態が検出されずに直ちにフル状態が検出されるのは、何枚かの伝票を一度に束ねて投入した場合である。
【００１１】
図６は、キーボード２やタッチパネルから入力指定された指定分類に対応する分類ポケット７が伝票出し入れ口１２の位置にセットされた際の状態を示している。この場合、指定分類に対応する分類ポケット７を伝票出し入れ口１２の位置に停止させるために、ステップモータ９を減速し、該当する分類ポケット７が伝票出し入れ口１２の位置で停止する直前において、引き起しソレノイド（図示せず）を駆動させ、そのプランジャの先端部に取り付けられている仕切板起立部材２０が突き出される。これによって仕切板起立部材２０は、その分類ポケット７を形成する２枚の仕切板６のうち、当該ポケット７内に収納されている伝票の荷重を受けていない方の仕切板６を分類ボックス５の回転につれて除々に起立させるもので、分類ボックス５が完全に停止したときには、分類ポケット７の上部開口部を広げることによって伝票の投入をし易くしている。
また、伝票出し入れ口１２に伝票が投入された際に、分類ポケット７に伝票が投入されたか否かを検出するために、伝票出し入れ口１２の近傍にはフォトトランジスタ２１が複数（この例では３個）配設され、また、これに対応してシャッタ１４の先端部（フラップ部）には発光ダイオード２２が複数配設されており、これによって入口センサ２３が構成されている。
【００１２】
他方、図１において、伝票出し入れ口１２の近傍には伝票取出口２４が設けられている。この伝票取出口２４は伝票の束をまとめて取り出したりする場合等に使用される。なお、伝票出し入れ口１２はシャッタ１４によって自動開閉されるが、伝票取出口２４は手動開閉式の蓋部材２５によって開閉される。蓋部材２５はその略全域にアクリル等の透明合成樹脂や透明強化ガラスからなる透明窓２６が形成されており、外部から分類ボックス５の内部を透視確認できるようになっている。
【００１３】
図７は分類別処理装置１のシステム構成を示したブロック図である。
ＣＰＵ３１はＲＡＭ３２内の各種プログラムにしたがってこの分類別処理装置１の全体動作を制御する中央演算処理である。記憶装置３４はプログラム、データ等が予め記憶されている記憶媒体３３を有し、この記憶媒体３３は固定的に設けたもの、もしくは着脱自在に装着可能に設けたものであり、フロッピーディスク、ハードディスク、光ディスク、ＲＡＭカード等の磁気的・光学的記憶媒体、半導体メモリによって構成されている。また、記憶媒体３３内のプログラムやデータは、ＣＰＵ３１の制御により、ＲＡＭ３２に格納される。さらに、記憶媒体３３に記憶するオペレーティングシステムや各種のアプリケーションプログラム、データファイル、文字フォントデータ等は、通信回線等を介して接続された他の機器側に設けた記憶媒体に記憶し、通信回線を介して使用する構成にしてもよい。
【００１４】
ＲＡＭ３２は記憶装置３４の記憶媒体３３内の各種プログラムがロードされるプログラムメモリ（図示せず）の他に、図８に示すようにワークメモリ３２−１、分類先マスタファイル３２−２、ポケット種別管理ファイル３２−３、ポケット状態管理テーブル３２−４等を有する構成となっている。ワークメモリ３２−１は図９に示すような各種のレジスタを有する構成で、後述するＺ＿ＰＫレジスタ、Ｂ＿ＮＯレジスタ、Ｇ＿ＮＯレジスタ、Ｐ＿ＳＹＵレジスタ、Ｐ＿ＦＬＧレジスタ、ＰＫレジスタ、Ｚ＿Ｐ＿ＦＬＧレジスタ、Ｚ＿ＰＫ＿Ｄレジスタが設けられている。
【００１５】
分類先マスタファイル３２−２は分類先名毎に分類先番号およびグループ番号を記憶するもので、図１０は分類先マスタファイル３２−２として銀行マスタファイルの内容を例示したものである。ここで、銀行マスタファイルにおいて、「分類先名」とは伝票の送り先（相手先）の銀行名を示し、「分類先番号」はその銀行固有の識別番号である。また「グループ番号」とは伝票を分類（グループ）仕分けする際のグループ番号（論理ポケット番号）であり、例えば、分類先がＢ銀行、Ｄ銀行についてはその伝票を同一分類に仕分けるために、分類先マスタファイル３２−２にはＢ銀行、Ｄ銀行に対応するグループ番号としてそれぞれ同一のグループ番号「０２０」がセットされている。
このように分類先マスタファイル３２−２には分類先番号に対応してそのグループ番号が設定されて成るもので、グループ番号は分類ボックス５を構成する各分類ポケット７を指定するための論理ポケット番号を示すと同時に、複数の分類をグループ化して同一ポケットに仕分けることを示している。なお、図１０は銀行マスタファイルを示したが、その他の分類先マスタファイル３２−２としては市町村別マスタファイル、都道府県別マスタファイル、受取人別マスタファイル等が存在する（図示せず）。
【００１６】
図１１はポケット種別管理ファイル３２−３の構成を示したもので、ポケット種別管理ファイル３２−３は伝票の仕分け業務に対応付けて業務別に、その業務を指示する業務コードと、ポケット割り当て種別（８０バイト）を記憶する。ここで、ポケットの割り当て種別を示すデータは分類ボックス５を構成する８０個の分類ポケット７に対応付けて各バイトに“１”か“０”のデータを任意に設定してなるもので、“１”は固定割り当て、“０”は可変割り当てを示している。すなわち、分類ボックス５を構成する各分類ポケット７のうち、予め決められている分類情報に対応して所定の分類ポケット７を固定的に割り当てる固定割り当てか、任意の分類ポケット７を可変的に割り当てる可変割当てかを各分類ポケット７毎に任意に設定されたデータである。この場合、分類先マスタファイル３２−２には分類先番号に対応してグループ番号が設定されており、この分類先番号にどの分類ポケット７を割り当てるかを決定する際に、ＣＰＵ３１はポケット種別管理ファイル３２−３の内容を参照し、固定割り当てが設定されている場合には、指定された分類先番号に、そのグループ番号で示される分類ボックス５を割り当てるが、可変割り当てが設定されている場合には、可変割り当てが設定されている各分類ポケット７の中からいずれかの分類ポケット７を選択し、指定された分類先番号にその分類ポケット７を割り当てる。
なお、業務としては例えば、公共料金収納業務、税金収納業務等であり、ポケット割り当て種別は仕分け業務毎に設定されている。
【００１７】
図１２はポケット状態管理テーブル３２−４の構成を示した図である。このポケット状態管理テーブル３２−４は分類ボックス５を構成する各分類ポケット７を管理するためのもので、各分類ポケット７毎にそれに対応付けられている「物理ポケット番号（ＰＫ番号）」と、「ホケット種別」、「使用フラグ」、「グループ番号」等を記憶するもので、「ポケット種別」はポケット種別管理ファイル３２−３の内容がそのまま転記されたものである。この場合、分類ボックス５内の各分類ポケット７を構成する仕切板６は上述したように任意に取り外し可能なもので、ポケット種別管理ファイル３２−３の内容をポケット状態管理テーブル３２−４に転記する際に、分類ボックス５を１回転させ、仕切板センサ１６によって仕切板６の有無を検出し、仕切板６が取り外されている場合には、それに対応する分類ポケット７のポケット種別として「Ｎ」が設定される。また、「使用フラグ」は対応する分類ポケット７の使用状態を示すもので、その値が“１”のときには使用中、“０”のときには未使用、“９”のときには使用不可を示している。すなわち、分類が割り当てられた分類ポケット７に対応する使用フラグには“１”がセットされるが、分類が割り当てられていないポケットには使用フラグとして“０”がセットされる。また、分類ポケット７の伝票収納量がフル状態あるいはニアフル状態となった際に、その代替として他の未使用のポケットが割り当てられた場合、フル／ニアフル状態となったポケットに対応する使用フラグに“９”がセットされる。「グループ番号」は分類先マスタファイル３２−２から読み出されたグループ番号がセットされたもので、このグループ番号（論理ポケット番号）を介して各分類ポケット７のＰＫ番号（物理ポケット番号）と分類先マスタファイル３２−２内の分類先番号とが対応付けられる。すなわち、分類情報に分類ポケット７が割り当てられることになる。なお、仕分け業務の開始時には、ポケット種別、使用フラグ、グループ番号は全てクリアされている。
センサ部３５は図１３に示すように位置マークセンサ１１、仕切板センサ１６、４５度センサ１８、４３度センサ１９、入口センサ２３を有するもので、ＣＰＵ３１は各センサ出力に基づいて各種の動作を制御する。
【００１８】
次に、この分類別処理装置１の動作を図１４〜図２１に示すフローチャートにしたがって説明する。なお、これらのフローチャートに記述されている各機能を実現するためのプログラムは、ＣＰＵ３１が読み取り可能なプログラムコードの形態で記憶媒体３３に記憶されており、その内容がＲＡＭ３２内のプログラムメモリにロードされている。
いま、ポケット種別管理ファイル３２−３には業務別にポケット種別データがユーザによって任意に設定されているものとする。
図１４は伝票仕分けの動作概要を示したフローチャートである。
先ず、仕分け業務を開始する際に、その業務コードを入力すると（ステップＡ１）、初期化処理が行われ、入力された業務コードに対応するポケット種別管理ファイル３２−３の内容がポケット状態管理テーブル３２−４に転記される。
【００１９】
図１５はこの初期化処理を示している。先ず、ＣＰＵ３１はワークメモリ３２−１内のＺ＿ＰＫレジスタをクリアする（ステップＢ１）。このＺ＿ＰＫレジスタは前回分のポケット番号（前回伝票を投入した分類ポケット７を示すポケット番号）を記憶するもので、仕分け業務の開始時には伝票の投入は行われていないので、それをクリアしておく。そして、入力された業務コードをキーとしてＣＰＵ３１はポケット種別管理ファイル３２−３を検索し、該当する８０バイト分のポケット種別データを読み出すと共に、これをポケット状態管理テーブル３２−４内のポケット種別フィールドに転記する（ステップＢ２）。次に、分類ボックス５を１回転させながら仕切板センサ１６によって仕切板６が所定位置に取り付けられているかを検出し、仕切板６が取り外されている場合には、ポケット状態管理テーブル３２−４内の該当ポケットに対応してその「ポケット種別」として「Ｎ」をセットしておく（ステップＢ３）。この場合、図１２に示すポケット状態管理テーブル３２−４にはＰＫ番号「００２」に対応するポケット種別として「Ｎ」が設定されているので、ＰＫ番号「００１」、「００２」で示される分類ポケット７は同一ポケットとして取り扱われる。
【００２０】
このような初期化処理が行われると、図１４のステップＡ３に進み、入力された分類先コードからポケット番号を取得する処理が行われる。
図１６はこのポケット番号取得処理を示し、先ず、テンキーやタッチキーから分類先番号が入力されると、ＣＰＵ３１はそれをＢ＿ＮＯレジスタにセットすると共に（ステップＣ１）、このＢ＿ＮＯレジスタの値をキーとして分類先マスタファイル３２−２を検索し、該当するグループ番号、つまり、論理ポケット番号を読み出してＧ＿ＮＯレジスタにセットする（ステップＣ２）。そして、このＧ＿ＮＯレジスタ内のグループ番号に該当し、かつ使用フラグが“１”（使用中）のＰＫ番号を検索してＰＫレジスタにセットする（ステップＣ３）。そしてステップＣ４ではＰＫ番号が検索できたかを判別する。つまり、入力された分類先番号に基づいてＰＫ番号を検索することができたか、換言すれば、物理ポケット番号（ＰＫ番号）に分類先番号がグループ番号（物理ポケット番号）を介して既に割り当てられており、しかも、当該ポケットが使用中であることを条件に、ＰＫ番号がＰＫレジスタにセットされる。このようにして入力された分類先番号に基づいて該当するＰＫ番号を取得することができた場合には、ステップＣ４でＹＥＳと判別され、図１６の処理はこの時点で終了する。
【００２１】
いま、仕分け業務の開始時には使用フラグは全て“０”で、グループ番号も全てクリアされているので、ステップＣ４で該当するＰＫ番号を検索することができなかった（割り当て済みではない）ことが検出されるため、ステップＣ５以下の処理に移る。すなわち、既に入力されている業務コードに該当するポケット種別データ（８０バイト）をポケット種別管理ファイル３２−３から読み出してこれをＰ＿ＳＹＵレジスタにセットしておき（ステップＣ５）、このポケット種別データの中からＧ＿ＮＯレジスタ内のグループ番号に対応するポケット種別を抽出してＰ＿ＦＬＧレジスタにセットする（ステップＣ６）。そして、このポケット種別は固定割り当てか、可変割り当てかを調べる（ステップＣ７）。ここで、ポケット種別が“１”（固定割り当て）であれば、Ｇ＿ＮＯレジスタ内のグループ番号をそのままＰＫ番号として確定し、ＰＫレジスタにセットする（ステップＣ８）。そして、このＰＫ番号に基づいてポケット状態管理テーブル３２−４をアクセスし、その使用フラグとして“１”をセットすると共に（ステップＣ９）、そのグループ番号としてＧ＿ＮＯレジスタの値をセットする（ステップＣ１０）。一方、可変割り当てであれば、ステップＣ９に進み、ポケット状態管理テーブル３２−４からポケット種別が“０”で、かつ使用フラグが“０”のＰＫ番号のうち、一番若いＰＫ番号をサーチしてこれをＰＫレジスタにセットする。そして、ステップＣ９、Ｃ１０に進み、そのＰＫ番号に対応して使用フラグに“１”をセットすると共に、グループ番号をセットする。
このようにポケット番号取得処理において、ＰＫ番号に分類先番号がグループ番号を介して既に割り当てられている場合には、入力された分類先番号に対応するＰＫ番号をそのまま取得するが、割り当てられていない場合には、分類先のグループ番号に該当するポケット種別を判別して固定割り当てあるいは可変割り当てを実行し、これによって得られたＰＫ番号を取得する。
【００２２】
次に、ＰＫ番号を取得すると、図１４のステップＡ４に進み、前回ポケットのニアフル／フル状態を調べ（ステップＡ４−１）、ニアフル／フル状態でなければ（ステップＡ４−２でＮＯ）、そのままこのステップＡ４から抜けるが、ニアフル／フル状態でればステップＡ４−３に進み、代替ポケット処理が行われる。図１７はステップＡ４を詳細に示したフローチャートである。先ず、Ｚ＿ＰＫレジスタがクリアされているかをチェックする（ステップＤ１）。ここで、Ｚ＿ＰＫレジスタは前回分のポケット番号を記憶するもので、仕分け業務の開始時には上述した初期化処理によってその値はクリアされているので、ステップＤ１はこの値が“０”か否かをチェックすることによって最初の伝票投入時か、つまり、分類先番号の１回目の入力かを判断する。
【００２３】
ここで、１回目の入力であれば、図１７の処理はこの時点で終了するが、２回目以降であれば、ステップＤ２に進み、Ｚ＿ＰＫレジスタにセットされている前回分のポケット番号を読み出し、それに該当する分類ポケット７の伝票収納量を４５度センサ１８、４３度センサ１９によって検出する。この場合、前回分の分類ポケット７は伝票出し入れ口１２に対応する位置で停止しており、この分類ポケット７を構成する仕切板６の傾斜角度が４５度、４３度かに応じて前回分ポケットのニアフル／フル状態が検出される。次に、Ｚ＿Ｐ＿ＦＬＧレジスタ内のポケット種別を判断する（ステップＤ３）。ここで、Ｚ＿Ｐ＿ＦＬＧレジスタは前回分ポケットについてのポケット種別を記憶保持するもので、前回分のポケット種別が“１”で、固定割り当てであれば、ステップＤ４に進む。このステップＤ４は固定割り当てに対するニアフル／フル時の処理で、図１８はこの処理を詳細に示したフローチャートである。
すなわち、ニアフル状態が検出された場合には（ステップＥ１）、その旨の警告メッセージが表示出力される（ステップＥ２）。また、フル状態が検出された場合には（ステップＥ３）、フル状態である旨のメッセージを表示出力させると共に、当該ポケット内から伝票を全て取り出す旨のメッセージ表示を行う（ステップＥ４）。
【００２４】
一方、前回分ポケットが可変割り当てで、そのニアフル状態が検出された場合には（ステップＤ３、Ｄ５）、ニアフル時における代替ポケット処理に移る（ステップＤ６）。図１９はこの場合における代替ポケット処理を示したフローチャートである。
すなわち、ニアフル状態が検出された前回分のポケット番号をＺ＿ＰＫレジスタから読み出し、これに対応するポケット状態管理テーブル３２−４内の使用フラグに“９”をセットして当該ポケットを以降、使用不可とする（ステップＦ１）。次に、ポケット状態管理テーブル３２−４からポケット種別が“０”で、かつ使用フラグが“０”のポケットのうち、前回ポケット番号の次に若いＰＫ番号をサーチし、このＰＫ番号に対応する分類ポケット７を前回分の代替ポケットとするために、このＰＫ番号をＺ＿ＰＫ＿Ｄレジスタにセットする（ステップＦ２）。つまり、未使用の可変割り当てポケットのうち、前回分のポケットに近いポケットを代替ポケットとして選択する。このようにして代替ポケットを選択すると、Ｚ＿ＰＫ＿Ｄレジスタ内の代替ポケット番号に対応するポケット状態管理テーブル３２−４内の使用フラグに“１”をセットすると共に（ステップＦ３）、そのグループ番号として前回分ポケット番号に対応するグループ番号をそのままコピーする（ステップＦ４）。この場合、図１２の例は、前回分のポケット番号ＰＫ「００３」に対応する使用フラグに“９”をセットして当該ポケットを使用不能とし、その代替としてポケット番号ＰＫ「００４」の可変ポケットを割り当てるために、その使用フラグに“１”をセットすると共に同一グループ番号「０２０」をセットした番号を示している。
【００２５】
また、図１７のステップＤ７で前回ポケットのフル状態が検出された場合には、ステップＤ８に進み、フル時における代替ポケット処理に移る。図２０はこの場合における代替ポケット処理を示したフローチャートである。
先ず、図１９で示したニアフル時の処理（ステップＦ１〜Ｆ３）と同様の処理（ステップＧ１〜Ｇ３）が実行される。すなわち、フル状態となった前回ポケットの使用フラグに“９”をセットして当該ポケットを使用不可とすると共に（ステップＧ１）、未使用の可変割り当てポケットのうち、前回分のポケットに近いポケットを代替ポケットとして選択し（ステップＧ２）、その代替ポケットの使用フラグに“１”をセットする（ステップＧ３）。そして、ポケットフルを示すメッセージ表示を行うと共に、ポケット内の伝票を少し取り出して代替ポケットに移し替える作業を促すメッセージ表示を行う（ステップＧ４）。これによって伝票の取り出しが行われるが、その取り出し量が適正か否かを判断するために、再びニアフル／フル状態を検出し（ステップＧ５）、依然としてニアフル／フル状態であれば（ステップＧ６でＹＥＳ）、メッセージ表示に移り（ステップＧ４）、その状態が解除されるまで同様の処理が繰り返される。
【００２６】
ここで、ニアフル／フル状態が解除された場合には、シャッタ１４を閉じて分類ボックス５を回転駆動させ、Ｚ＿ＰＫ＿Ｄレジスタ内のポケット番号に対応する代替ポケットが伝票出し入れ口１２の位置にセットされると、分類ボックス５の回転を停止させてシャッタ１４をオープンする（ステップＧ７）。そして、Ｚ＿ＰＫ＿Ｄレジスタ内の代替ポケット番号に対応するポケット状態管理テーブル３２−４内のグループ番号として前回分ポケット番号に対応するグループ番号をそのままコピーすると共に（ステップＧ８）、伝票を代替ポケットに投入すべき旨のメッセージ表示を行う（ステップＧ９）。この場合、前回ポケットから取り出した伝票を代替ポケットに移し替える作業を行う。
【００２７】
このようにして図１４のステップＡ４の処理が終ると、ステップＡ５に進み、ＰＫレジスタを参照し、これに該当する分類ポケット７が伝票出し入れ口１２の位置にセットされるまで分類ボックス５を回転駆動させる。図２１はこの場合の処理を詳細に示したフローチャートである。
いま、ＰＫレジスタには、今回入力された分類先番号に応じて図１６のポケット番号取得処理が実行され、これによって得られたポケット番号がセットされているので、このＰＫレジスタから今回の処理対象となるポケット番号を読み出し、それに該当する分類ポケット７が伝票出し入れ口１２の位置にセットされるまで分類ボックス５を回転駆動させると共にシャッタ１４をオープンさせる（ステップＨ１）。そして、伝票投入のメッセージ表示を行う（ステップＨ２）。
ここで、分類ボックス５の回転中に位置マークセンサ１１はその外周面に付された位置決め用バーコード８を読み取り、ＣＰＵ３１はその読み取り結果が、入力された分類コードに対応するスペース番号に一致するかを判断する。ここで、不一致が検出されれば、分類ボックス５を回転し続けるが、一致が検出されると、電磁ブレーキ１３をオンさせると共に、引き越しソレノイドをオンさせて仕切板起立部材２０を分類ボックス５内に進行させる。この場合、分類ボックス５は僅かに回転しており、その回転につれて仕切板起立部材２０によって仕切板６が除々に起立するようになる。そして、ＣＰＵ３１はステップモータ９をオフさせると共に、シャッタ１４を開放させる。いま、伝票が投入されると、入口センサ２４はそれを検出するが、投入されなければ、ＣＰＵ３１は投入すべき旨のメッセージ表示を行い、投入待ちとなる。一方、伝票が正常に投入された場合には、シャッタ１４を開成させると共に、電磁ブレーキ１３をオフし、更に引き起しソレノイドをオフして仕切板起立部材２０を分類ボックス５から後退させる。
次に、このＰＫレジスタ内のポケット番号を前回分のポケット番号とするために、ＰＫレジスタの内容をＺ＿ＰＫレジスタに転送すると共に（ステップＨ３）、Ｐ＿ＦＬＧレジスタ内のポケット種別をＺ＿Ｐ＿ＦＬＧレジスタに転送する（ステップＨ４）。
【００２８】
次に、図１４のステップＡ６に進み、明細終了か、つまり、伝票仕分けの終了を示す終了キーが操作されたかをチェックし、終了キーが操作されるまでステップＡ３に戻り、以下、同様の処理が繰り返される。そして、終了キーが操作されると、後処理が実行され（ステップＡ７）、ポケット状態管理テーブル３２−４内の各ＰＫ番号に対応する「ポケット種別」、「使用フラグ」、「グループ番号」がそれぞれクリアされる。
【００２９】
以上のように構成された分類別処理装置においては、予めポケット種別管理ファイル３２−３に各分類ポケット７に対応付けてそのポケット種別を任意に設定しておくと、伝票仕分け時に入力された分類先番号に基づいて分類割り当て処理が実行されるが、その際、入力された分類先番号に分類ポケット７が既に割り当てられていなければ、ＣＰＵ３１はポケット種別管理ファイル３２−３の内容を参照して固定割り当て処理あるいは可変割り当て処理を行う。この場合、分類先マスタファイル３２−２には分類先番号に対応して論理ポケット番号であるグループ番号が設定されているので、固定割り当て時には入力された分類先番号にそのグループ番号で示される分類ポケット７がそのまま割り当てられるが、可変割り当て時には可変割り当てが設定されている各分類ポケット７のうち、未使用のポケットでかつ物理ポケット番号が一番若いポケットがその分類先番号に割り当てられる。したがって、ユーザは予め当日の業務予測に応じて各分類ポケット７毎に固定割り当て、可変割り当てを混在させて設定しておけば、当日の運用業務に合った適切な分類仕分けが可能となる。
また、分類仕分けされた各伝票の束を取り出す際には、蓋部材２５を開けて伝票取出口２４から手作業によって分類毎に取り出すようにしているが、常に存在する特定分類の伝票についてはその先頭ポケットから順次割り当てられるように固定割り当てを設定しておけば、先頭ポケットにはＡ銀行、２番目のポケットにはＢ銀行……のように固定化されるため、分類毎に伝票の束を取り出す際に、極めて便利なものとなる。
【００３０】
また、例えば、固定割り当てのポケットをその物理ポケット番号である「００１」〜「００１０」に対応付け、その他のポケットを可変割り当てに対応付けておけば、当日の運用業務で取り扱われる分類として、物理ポケット番号「００１」〜「００１０」に対応する分類が多く、その他の分類が極端に少ないものとすると、分類仕分けによって使用されるポケットはその先頭から約半分程度で足り、分類ボックス５を回転駆動する際に、迅速に該当ポケットを伝票出し入れ口１２の位置にセットすることが可能となり、それだけ分類仕分けを効率良く行うことが可能となる。
【００３１】
また、分類ポケット７の伝票収納量を検出する４５度センサ１８、４３度センサ１９を設け、分類ポケット７の収納量がニアフル／フル状態となった場合、代替ポケット処理を実行するようにしたから、特定分類の収納量が多くなっても入れ替え作業をすることなく、分類仕分けが可能となる。このことはニアフル時の場合に有効なものとなる。
このように代替ポケット処理を割り当てることができるのは、全ての分類ポケット７に分類を固定的に設定せず、その一部を可変割り当てとして残したことによるもので、可変割り当てが設定されるポケットが代替ポケットとして割り当てられることになる。この場合、代替ポケットを割り当てる際には、ニアフル／フル状態となったポケットに一番近いポケットが選択されるため、元のポケットと代替ポケットとを位置的に近ずけることが可能となり、分類仕分けされた伝票の束を取り出す際に、極めて便利なものとなる。
【００３２】
なお、上述した一実施形態においては、可変割り当てが設定されている分類ポケット７がニアフル／フル状態に達した際にその代替ポケットを確保するようにしたが、固定割り当てが設定されている分類ポケット７がニアフル／フル状態に達した際にも代替ポケットを確保するようにしてもよい。
また、４５度センサ１８、４３度センサ１９は仕切板６の傾斜角度を検出することによりニアフル／フル状態を検出するようにしたが、各分類ポケット７毎に投入された伝票枚数をカウントすることによってニアフル／フル状態を検出したり、分類ポケット７内にマイクロスイッチを設け、それがオンされた際に、ニアフル／フル状態を検出するようにしてもよい。
【００３３】
また、分類ポケット７のニアフル／フル状態を検出した際に、代替ポケットを確保する場合に限らず、例えば、各分類ポケット７に１００枚分投入されたらその代替ポケットを確保するようにすれば、分類仕分けされた伝票の束は１００枚単位とすることができる。
更に、固定割り当てか可変割り当てかを設定する場合、各分類ポケット７毎に“１”か“０”を設定する場合に限らず、可変割り当てのみを設定したらその他は全て固定割り当てであると認識したり、逆に、固定割り当てのみを設定したら、その他は全て可変割り当てであると認識するようにしてもよい。更に、通信回線やフロッピーディスク等によってポケット種別管理テーブル３２−３の内容を外部供給するようにしてもよい。
更に、伝票としては公共料金や税金の領収済通知書、振込票等に限らず、ビール券、旅館券、株配当金用紙などであってもよく、あるいは大学等の受験票、マークシート形式の解答用紙等であってもよく、更に、用紙に限らず、シート状、カード状の物品であってもよいことは勿論である。
【００３４】
【発明の効果】
この発明によれば、分類別収納部を構成する収納スペースとしての各分類ポケット毎に、どのような種類の物品を収納させるかを示すために、予め決められている分類情報に対応して所定の分類ポケットを固定的に割り当てる固定割り当てか、任意の分類ポケットを割り当てる可変割り当てかを任意に設定することができるので、当日の運用業務に合った適切な分類仕分けを実現することができ、仕分け作業を効率良く行うことが可能となる。この場合、ニアフル／フル状態となった分類ポケットを検出してその代替ポケットを確保するようにすれば、入れ替え作業が不要となり、更に効率の良いものとなる。
【図面の簡単な説明】
【図１】分類別処理装置の外観斜視図。
【図２】分類別処理装置１内の主要構造を概念的に示したもので、（Ａ）は概略横断面図、（Ｂ）は概略縦断面図。
【図３】分類ボックス５に仕切板６を取り付けた状態を示した断面図。
【図４】分類ボックス５内に放射状に並列された各仕切板６のうち、その一部を示した拡大斜視図。
【図５】（Ａ）〜（Ｄ）は、４５度センサ１８および４３度センサ１９の構成およびその作用を説明するための図。
【図６】指定分類に対応する分類ポケット７が伝票出し入れ口１２の位置にセットされた際の状態を示した図。
【図７】分類別処理装置１の全体構成を示したブロック図。
【図８】ＲＡＭ３２の主要構成を示した図。
【図９】ＲＡＭ３２内に設けられているワークメモリ３２−１の主要構成を示した図。
【図１０】ＲＡＭ３２内に設けられている分類先マスタファイル３２−２の内容を示した図で、銀行マスタファイルを例示した図。
【図１１】ＲＡＭ３２内に設けられているポケット種別管理ファイル３２−３の内容を示した図。
【図１２】ＲＡＭ３２内に設けられているポケット状態管理テーブル３２−４の内容を示した図。
【図１３】センサ部３５の主要構成を示した図。
【図１４】分類別処理装置１の全体動作の概要を示したフローチャート。
【図１５】図１４のステップＡ２（初期化処理）を詳細に示したフローチャート。
【図１６】図１４のステップＡ３（ポケット番号取得処理）を詳細に示したフローチャート。
【図１７】図１４のステップＡ４（前回分の代替処理）を詳細に示したフローチャート。
【図１８】図１７のステップＤ４（固定割り当て時の処理）を詳細に示したフローチャート。
【図１９】図１７のステップＤ６（ニアフル時の代替ポケット処理）を詳細に示したフローチャート。
【図２０】図１７のステップＤ８（フル時の代替ポケット処理）を詳細に示したフローチャート。
【図２１】図１４のステップＡ５（ポケット回転駆動処理）を詳細に示したフローチャート。
【符号の説明】
１  分類別処理装置
２  キーボード
５  分類ボックス
６  仕切板
７  分類ポケット
８  位置決め用バーコード
９  ステップモータ
１１  位置マークセンサ
１２  伝票出し入れ口
１８  ４５度センサ
１９  ４３度センサ
３１  ＣＰＵ
３２  ＲＡＭ
３２−１  ワークメモリ
３２−２  分類先マスタファイル
３２−３  ポケット種別管理ファイル
３２−４  ポケット状態管理テーブル
３３  記憶媒体
３４  記憶装置
３５  センサ部
【図１】
0003764962.tif 000002
【図２】
0003764962.tif 000003
【図３】
0003764962.tif 000004
【図４】
0003764962.tif 000005
【図５】
0003764962.tif 000006
【図６】
0003764962.tif 000007
【図７】
0003764962.tif 000008
【図８】
0003764962.tif 000009
【図９】
0003764962.tif 000010
【図１０】
0003764962.tif 000011
【図１１】
0003764962.tif 000012
【図１２】
0003764962.tif 000013
【図１３】
0003764962.tif 000014
【図１４】
0003764962.tif 000015
【図１５】
0003764962.tif 000016
【図１６】
0003764962.tif 000017
【図１７】
0003764962.tif 000018
【図１８】
0003764962.tif 000019
【図１９】
0003764962.tif 000020
【図２０】
0003764962.tif 000021
【図２１】
0003764962.tif 000022